(57)【要約】【課題】簡易な構造により、箱に収容された物品を適切に確認することができる物品収容用の箱を課題とする。【解決手段】物品収容用の箱１は、物品１０を収容可能に構成された内箱２０と、内箱２０を引出し可能に収容する外箱３０と、を備える。そして、内箱２０は、その引出し方向における長さが、外箱３０の引出し方向における長さよりも長い。内箱２０は、引出し方向における一端側から外箱３０の開口部３１へと挿入されたとき、開口部３１を閉塞する。一方、内箱２０は、逆側から開口部３１へと挿入されたときに、開口部３１の一部を開放して、物品１０を見えるようする。【選択図】図１
2007099374.tif 000002
【特許請求の範囲】
【請求項１】
物品を収容可能に構成された内箱と、前記内箱を引出し可能に収容する外箱と、を備えた物品収容用の箱であって、
前記内箱は、その引出し方向における長さが、当該引出し方向における前記外箱の長さよりも長い、物品収容用の箱。
【請求項２】
前記外箱は、前記引出し方向における一端に、前記内箱を当該外箱の内側から引き出したり当該外箱の内側へと挿入したりするための開口部を有し、
前記内箱は、前記引出し方向における一端側から前記開口部へと挿入されたときに、前記開口部を閉塞するように構成されていると共に、前記一端と反対側の他端側から前記開口部へと挿入されたときに、前記開口部の少なくとも一部を開放するように構成されている、請求項１に記載の物品収容用の箱。
【請求項３】
前記内箱が前記外箱の開口部を閉塞したとき、前記内箱及び前記外箱は前記物品を外部から視認不能に覆い、
前記内箱が前記外箱の開口部の少なくとも一部を開放したとき、前記内箱及び前記外箱は、この開放されたところを介した前記物品の外部からの視認を許容する、請求項２に記載の物品収容用の箱。
【請求項４】
前記外箱は、前記引出し方向における一端に、前記内箱を当該外箱の内側から引き出したり当該外箱の内側へと挿入したりするための開口部を有し、
前記内箱の前記引出し方向における一端側は、前記物品を出し入れするための開口部を有し、前記内箱の前記引出し方向における他端側は、閉塞されている、請求項１に記載の物品収容用の箱。
【請求項５】
前記内箱の開口部は、斜めに開口している請求項４に記載の物品収容用の箱。
【請求項６】
前記内箱の開口部は、当該内箱の前記引出し方向の一端側から見たとき、斜め上方に向かって開口している、請求項４に記載の物品収容用の箱。
【請求項７】
前記外箱は、前記引出し方向における他端側が閉塞されている、請求項２ないし６のいずれか一項に記載の物品収容用の箱。
【請求項８】
前記内箱は、前記引出し方向において露出領域と隠蔽領域とに区分けされており、
前記露出領域は、前記物品の他の一部を当該内箱の外側に視認可能に露出した状態で、前記物品を収容し、
前記隠蔽領域は、前記露出領域との境界以外では、前記物品の一部を当該内箱の内側に隠蔽した状態で、前記物品を収容する、請求項１ないし７のいずれか一項に記載の物品収容用の箱。
【請求項９】
前記物品は靴である、請求項１ないし８のいずれか一項に記載の物品収容用の箱。
【発明の詳細な説明】
【技術分野】
【０００１】
本発明は、例えば靴を収容するための靴箱など、物品収容用の箱に関するものである。
【背景技術】
【０００２】
従来、靴は、紙製の靴箱に収容されて小売店等で積み重ねて保存されたり運搬されたりする一方、店頭においては、靴箱から出されて、消費者の目につくように靴単体で配置されている。この種の靴箱としては、例えば特許文献１や２に記載のものが知られている。特許文献１に記載の靴箱は、外箱に内箱を引出し可能にし、外箱及び内箱を透明材で形成することで、内箱に収容した靴を外部から視認可能にしたものである。
【特許文献１】実用新案登録３０３５９８３号
【特許文献２】特開２００５−７０２７号公報
【発明の開示】
【発明が解決しようとする課題】
【０００３】
特許文献１に記載の靴箱の場合、店頭において靴箱から靴を出して配置しなくとも、消費者が靴箱内の靴を確認することができる点では有用である。しかし、靴箱を透明にするために、靴箱をプラスチックで形成しなければならず、製造コストがかかり、改善が望まれていた。
【０００４】
本発明は、簡易な構造により、箱に収容された物品を適切に確認することができる物品収容用の箱を提供することをその目的としている。
【課題を解決するための手段】
【０００５】
上記目的を達成するべく、本発明の物品収容用の箱は、物品を収容可能に構成された内箱と、内箱を引出し可能に収容する外箱と、を備えた物品収容用の箱であって、内箱は、その引出し方向における長さが、引出し方向における外箱の長さよりも長いものである。
【０００６】
この構成によれば、内箱を外箱に収容した状態では、引出し方向において、常に、内箱の一部は外箱の外部に突出する。このため、その露出する内箱の部分を、例えば開口にしたり或いは透明にしたりするなどの工夫を施すことで、内箱から物品を取り出さなくとも、露出する内箱の部分を介して、内箱に収容された物品を適切に確認することが可能となる。
【０００７】
ここで、物品収容用の箱は、各種の物品を収容する箱に適用することができるが、特に、店頭などで物品を陳列する際に箱と物品とを別々にしなくてもよいため、このような陳列の対象となる物品を収容するのに適している。例えば、好ましい一態様では、物品は靴又はアクセサリであり、箱は靴箱又は化粧箱である。そのほかにも、物品は、袋入のスナック菓子などの食料品類や飲料品類、日用品であってもよい。
【０００８】
本発明の一態様によれば、外箱は、引出し方向における一端に、内箱を外箱の内側から引き出したり外箱の内側へと挿入したりするための開口部を有し、内箱は、引出し方向における一端側から開口部へと挿入されたときに、開口部を閉塞するように構成されていると共に、一端と反対側の他端側から開口部へと挿入されたときに、開口部の少なくとも一部を開放するように構成されていることが、好ましい。
【０００９】
この構成によれば、外箱の開口部に対する内箱の挿入方向を変えるだけで、その開口部を閉塞できたり、少なくとも一部を開放できたりすることができる。
【００１０】
この場合、内箱が外箱の開口部を閉塞したとき、内箱及び外箱は物品を外部から視認不能に覆い、内箱が外箱の開口部の少なくとも一部を開放したとき、内箱及び外箱は、この開放されたところを介した物品の外部からの視認を許容することが、好ましい。
【００１１】
こうすることで、開口部を閉塞したときには、物品は内箱及び外箱により外部から視認不能に覆われる。このため、例えば、購入後に物品を持ち帰る際に、物品を箱から露出させなくて済み、物品を適切に保護することができる。一方、開口部の少なくとも一部を開放したときには、箱に収容された物品は外部から視認することができる。このため、例えば、店頭などにおいて、物品を箱に収容したまま陳列することができる。
このように、外箱の開口部に対する内箱との関係を規定しているため、箱は、簡易な構造によって、あるときは物品の視認を許容し、またあるときは物品を覆って保護することができる。
【００１２】
また、本発明の別の好ましい一態様によれば、外箱は、引出し方向における一端に、内箱を外箱の内側から引き出したり外箱の内側へと挿入したりするための開口部を有し、内箱の引出し方向における一端側は、物品を出し入れするための開口部を有し、内箱の引出し方向における他端側は、閉塞されていてもよい。
【００１３】
上述のとおり、内箱を外箱に収容した状態では、引出し方向において、常に、内箱はその一部が外箱の外部に露出する。その露出した部分に内箱の開口部が含まれる場合には、物品は、その開口部を介して視認できると共に出し入れすることができ、例えば陳列に際して有用となる。一方、その露出した部分に内箱の閉塞された他端側が含まれる場合には、物品は、その開口部から視認したり出し入れしたりすることができなくなる。この場合は、例えば運搬に際して有用となる。
【００１４】
この場合、内箱の開口部は斜めに開口していることが、好ましい。
【００１５】
こうすることで、物品の視認性を高めることができる。
【００１６】
同様に、内箱の開口部は、内箱の引出し方向の一端側から見たとき、斜め上方に向かって開口していることが好ましい。
【００１７】
このように、消費者等のユーザの視点を考慮することで、ユーザに物品を広く視認させることが可能となり、特に陳列時に有用となる。
【００１８】
本発明の一態様によれば、外箱は、引出し方向における他端側が閉塞されていることが、好ましい。
【００１９】
こうすることで、外箱は、引出し方向の一端が開口部を有し且つ他端が閉塞することになるので、外箱の開口部から挿入した内箱は、外箱の他端側からの外部への抜け落ちを防止される。これにより、物品及び箱の取扱い性を高めることができる。
【００２０】
本発明の別の一態様によれば、内箱は、引出し方向において露出領域と隠蔽領域とに区分けされる。露出領域は、物品の他の一部を当該内箱の外側に視認可能に露出した状態で、物品を収容する。一方、隠蔽領域は、露出領域との境界以外では、物品の一部を内箱の内側に隠蔽した状態で、物品を収容する。
【発明の効果】
【００２１】
本発明の物品収容用の箱によれば、内箱を外箱よりも引出し方向において長くするという簡易な構造によって、内箱にある物品の確認を可能にし得る。
【発明を実施するための最良の形態】
【００２２】
以下、添付図面を参照して、本発明の好適な実施形態に係る物品収容用の箱を、靴箱に適用した例について説明する。
【００２３】
図１〜図５は、靴箱１の斜視図、平面図、正面図、左側面図及び右側面図である。
靴箱１は、靴１０を収容可能に構成された内箱２０と、内箱２０を引出し可能に収容する外箱３０と、で構成されている。内箱２０は、外箱３０から完全に引き出すことができる。つまり、内箱２０は外箱３０に着脱することができる。
以下では、内箱２０を外箱３０に挿入したり引き出したりする方向を、引出し方向又は左右方向と定義する。なお、靴１０は、図１及び図４においてのみ二点鎖線で示す。
【００２４】
靴箱１に収容される靴１０は、革等からなる紳士靴や、パンプスやハイヒール等の婦人靴のほか、ブーツなど、その種類を問うものでははい。靴箱１は、例えば大・小の２種類を用意することもできるが、靴１０の種類やサイズに応じて適宜設計することができる。
【００２５】
内箱２０及び外箱３０は、紙や樹脂など、各種の材料で形成することができ、互いに異種の材料を用いて形成してもよい。ここでは、コストや廃棄のし易さ等の観点から、内箱２０及び外箱３０を紙で形成している。なお、保存時などの靴箱１の積み重ねを考慮すると、外箱３０は内箱２０よりも強度が高いことが好ましい。
【００２６】
紙製の内箱２０及び外箱３０は、シート状のものから折り曲げることにより箱型に組立てることができる一方、消費者等が靴箱１を廃棄等する際には、箱型から解体して扁平なシート状へと変形することができる。すなわち、内箱２０及び外箱３０を紙製とすることで、消費者等における靴箱１の取扱いをも高めることができる。
【００２７】
外箱３０は、角筒状の一端（右側方）が閉塞された直方体形状からなる。すなわち、外箱３０は、引出し方向における一端が方形の開口部３１となっている一方、引出し方向における他端が閉塞されている。
【００２８】
開口部３１は、引出し方向における一端である直方体の左側面に対応する領域に形成されており、この左側面の全ての領域を開口するように形成されている。開口部３１は、外箱３０の内側の収容空間に対して、内箱２０を挿入したり、引出したり（抜出したり）するために活用される。
【００２９】
収容空間は、外箱３０を構成する方形の五つの面、すなわち、上面３２、下面３３、前面３４、後面３５、及び右側面３６により画成されている。上面３２には、「Ａ」の文字が付されている。例えば、「Ａ」の文字の代わりに、靴１０の内容を表示する文字や、靴１０を取り扱う会社のロゴなどを用いてもよいし、もちろん省略してもよい。なお、図示省略したが、下面３３には、靴１０の取扱い上の注意などを記載してもよい。
【００３０】
図６〜図９は、内箱２０の平面図、正面図、左側面図及び右側面図である。
内箱２０は、中空の直方体の一部を斜め切りしたような形状を有しており、左斜め上方に向かって開口する開口部２１を有している。
【００３１】
開口部２１は、内箱２０の引出し方向における一端側に、より具体的には、左側面２７の一部と上面２２の一部とを通る平面で切断した部分に位置している。開口部２１は、内箱２０の左側方の一部と上方の一部とを開口するように形成されている。開口部２１は、内箱２０の載置空間に靴１０を出し入れするために活用される。
【００３２】
載置空間は、内箱２０を構成する方形の六つの面、すなわち、上面２２、下面２３、前面２４、後面２５、右側面２６、及び左側面２７により画成されている。内箱２０は靴１０を載置するトレイとしての機能を有しており、載置空間は下面２３の上部に靴１０を載置する。なお、図示省略したが、下面２３の上部に中敷を敷設して、中敷の上に靴１０を載置させるようにしてもよい。
【００３３】
上面２２は、引出し方向における長さが下面２３よりも短くなっており、靴１０の一部を上方から覆う。右側面２６は、内箱２０の引出し方向における他端側を閉塞する。右側面２６及び左側面２７は、外箱３０に対する内箱２０の引出し動作の際などに、靴１０が引出し方向の両方向から抜けることを阻止することができる。
【００３４】
概念上、内箱２０を上面２２が存在する領域と存在しない領域とに引出し方向において区分けすれば、上面２２が存在しない領域は、内箱２０の略左半部にあり、靴１０の一部を内箱２０の外側に視認可能に露出する露出領域と換言することができる。一方、上面２２が存在する領域は、内箱２０の略右半部にあり、靴１０の一部を隠蔽した状態で収容可能な隠蔽領域と換言することができる。ただし、隠蔽領域は、露出領域との境界では、靴１０の一部を露出領域側に露出する。
【００３５】
ここで、内箱２０及び外箱３０のサイズについて、図１ないし図４を参照して説明する。
内箱２０は、外箱３０の内側に略隙間なく位置できるように且つ外箱３０の内面に沿ってスライド移動できるように、上下方向の高さ及び前後方向の奥行きを有している。一方で、内箱２０は、引出し方向（すなわち左右方向）における長さが外箱３０よりも長くなっている。このため、内箱２０を外箱３０に収容した状態では、引出し方向において、常に、内箱２０の一部は外箱３０の外部に露出することになる。
【００３６】
図１ないし図４に示すように、外箱３０の奥まで内箱２０を挿入し、外箱３０の右側面３６に内箱２０の右側面２６をあてがった場合、内箱２０の左側の部分は、外箱３０の開口部３１から外部に突出する。換言すれば、内箱２０の上面２２のない露出領域の一部は、外箱３０の開口部３１から外部に突出し、露出領域の残りの部分及び隠蔽領域の全部は、外箱３０の収容空間に収まることになる。
【００３７】
このとき、外箱３０の開口部３１の一部（上側部分）は開放されるため、この開放されたところを介して、外箱３０の内部に位置する靴１０を外箱３０の外部から視認することが可能となる。
【００３８】
図１０ないし図１２は、それぞれ、図１ないし図４とは反対側の方向から内箱２０を外箱３０に挿入した状態を示す図である。
外箱３０の右側面３６に内箱２０の左側面２７をあてがった場合、内箱２０の右側面２６側の部分は、外箱３０の開口部３１から外部に突出する。換言すれば、内箱２０の上面２２のある隠蔽領域の一部は、外箱３０の開口部３１から外部に突出し、隠蔽領域の残りの部分及び露出領域の全部は、外箱３０の収容空間に収まることになる。
【００３９】
このとき、開口部３１は、内箱２０の隠蔽領域の一部によって略完全に閉塞されることになり、靴１０は、内箱２０及び外箱３０により完全に覆われるため、外部から視認不能となる。
【００４０】
ここで、外箱３０から突出させる内箱２０の長さについては、内箱２０の斜めに開口した開口部２１の傾斜角度を考慮して、図１ないし図４に示す状態の靴１０の視認性を確保できるように決定すればよい。なお、開口部２１の傾斜角度θ（図２参照）は、開口部２１の傾斜方向と引出し方向との交角であり、例えば２０度程度であればよい。
【００４１】
本実施形態の靴箱１の作用・効果について簡単に説明する。
上記したように、本実施形態の靴箱１によれば、外箱３０への内箱２０の挿入方向を変えるだけで、靴１０を完全に収容したり、収容した靴１０の一部を外部から見えるようにしたりできる。このため、靴１０及び靴箱１を取り扱う店舗等において、靴１０を陳列する際などに有用となる。
【００４２】
具体的には、店頭においては、靴箱１の態様を図１ないし図４に示す状態にすることで、靴１０を靴箱１から出さずに陳列することができる。消費者等は、陳列された靴箱１内の靴１０を外部から確認することができ、必要に応じて、内箱２０を引き出すことで、靴１０の全容を確認することもできる。そして、靴１０を購入する場合には、消費者は靴箱１に入れたままレジに持っていけばよい。
【００４３】
消費者による靴１０の購入後に、レジにおいて、内箱２０を完全に引き出して、逆向きとし、再び内箱２０を外箱３０に挿入すればよい。そして、靴箱１の態様を図１０ないし図１２に示す状態にすることで、靴箱１から靴１０を突出させなくて済み、外部環境から靴１０を保護することができる。このように、本実施形態の靴箱１によれば、靴１０の取扱い性を向上し、消費者等の利便性を高めることができる。
【図面の簡単な説明】
【００４４】
【図１】実施形態に係る物品収容用の箱の斜視図である。
【図２】実施形態に係る物品収容用の箱の平面図である。
【図３】図２の正面図である。
【図４】図３の左側面図である。
【図５】図３の右側面図である。
【図６】実施形態に係る物品収容用の箱の内箱の平面図である。
【図７】図６の正面図である。
【図８】図７の左側面図である。
【図９】図７の右側面図である。
【図１０】実施形態に係る物品収容用の箱の平面図であり、内箱を図２とは反対側から外箱に収容させた状態を示す図である。
【図１１】図１０の正面図である。
【図１２】図１１の左側面図である。
【符号の説明】
【００４５】
１：靴箱、１０：靴、２０：内箱、２１：開口部、２２：上面、２３：下面、２４：前面、２５：後面、２６：右側面、２７：左側面、３０：外箱、３１：開口部、３２：上面、３３：下面、３４：前面、３５：後面、３６：右側面
【図１】
2007099374.tif 000003
【図２】
2007099374.tif 000004
【図３】
2007099374.tif 000005
【図４】
2007099374.tif 000006
【図５】
2007099374.tif 000007
【図６】
2007099374.tif 000008
【図７】
2007099374.tif 000009
【図８】
2007099374.tif 000010
【図９】
2007099374.tif 000011
【図１０】
2007099374.tif 000012
【図１１】
2007099374.tif 000013
【図１２】
2007099374.tif 000014